【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】  着色剤、１種以上のバインダ樹脂、フィブリル化可能なもしくはフィブリル化された材料、及び充填材を含み、約90℃以下の融点もしくは軟化点を有する低融点ワックスもしくはワックス様材料を実質的に含まない、消去可能な色鉛筆芯組成物。
【請求項２】  前記低融点ワックスもしくはワックス様材料が５ユニット以上の針貫通硬度値を有する、請求項１記載の消去可能な色鉛筆芯組成物。
【請求項３】  前記バインダ樹脂がポリオレフィンである、請求項１又は２記載の消去可能な色鉛筆芯組成物。
【請求項４】  前記ポリオレフィンがポリプロピレン、高密度ポリエチレン、低密度ポリエチレン、高融点ポリオレフィンワックス、及びこれらの組み合わせからなる群より選ばれる、請求項３記載の消去可能な色鉛筆芯組成物。
【請求項５】  前記ポリオレフィンがポリプロピレン、低密度ポリエチレン及び高融点ポリエチレンワックスの組み合わせである、請求項４記載の消去可能な色鉛筆芯組成物。
【請求項６】  前記フィブリル化可能なもしくはフィブリル化された材料がフィブリル化可能なもしくはフィブリル化されたポリマーである、請求項１記載の消去可能な色鉛筆芯組成物。
【請求項７】  前記フィブリル化可能なもしくはフィブリル化されたポリマーがフィブリル化可能なもしくはフィブリル化されたコポリマーである、請求項６記載の消去可能な色鉛筆芯組成物。
【請求項８】  前記フィブリル化可能なもしくはフィブリル化されたコポリマーがフィブリル化可能なもしくはフィブリル化されたエチレン−酢酸ビニルコポリマーである、請求項７記載の消去可能な色鉛筆芯組成物。
【請求項９】  滑剤をさらに含む、請求項１記載の消去可能な色鉛筆芯組成物。
【請求項１０】  前記滑剤が非粒状滑剤である、請求項９記載の消去可能な色鉛筆芯組成物。
【請求項１１】  前記滑剤がバインダ樹脂とは別のドメインを形成する、請求項１０記載の消去可能な色鉛筆芯組成物。
【請求項１２】  前記滑剤が極性材料である、請求項１１記載の消去可能な色鉛筆芯組成物。
【請求項１３】  前記極性材料がアルコキシル化材料である、請求項１２記載の消去可能な色鉛筆芯組成物。
【請求項１４】  着色剤、１種以上のバインダ樹脂、フィブリル化可能なもしくはフィブリル化された材料、充填材、及びアルコキシル化材料を含む滑剤を含む消去可能な色鉛筆芯組成物。
【請求項１５】  前記アルコキシル化材料が、ポリアルキレングリコール、アルコキシル化エーテル、アルコキシル化ラノリン、アルコキシル化ラノリンアルコール、一価及び多価アルコールのアルコキシレート、アルコキシル化脂肪酸、アルコキシル化植物油、アルコキシル化水素化植物油、及びこれらの組み合わせからなる群より選ばれる、請求項１又は１４記載の消去可能な色鉛筆芯組成物。
【請求項１６】  前記アルコキシル化材料がエトキシル化材料である、請求項１５記載の消去可能な色鉛筆芯組成物。
【請求項１７】  前記エトキシル化材料が、ポリエチレングリコール、エトキシル化エーテル、エトキシル化ラノリン、エトキシル化ラノリンアルコール、一価及び多価アルコールのエトキシレート、エトキシル化脂肪酸、エトキシル化植物油、エトキシル化水素化植物油、及びこれらの組み合わせからなる群より選ばれる、請求項１６記載の消去可能な色鉛筆芯組成物。
【請求項１８】  前記エトキシル化材料がポリエチレングリコールである、請求項１７記載の消去可能な色鉛筆芯組成物。
【請求項１９】  抗酸化剤を含む、請求項１〜１８のいずれか１項に記載の消去可能な色鉛筆芯組成物。
【請求項２０】  着色剤、１種以上のバインダ樹脂、フィブリル化可能なもしくはフィブリル化された材料、充填材、及び抗酸化剤を含む消去可能な色鉛筆芯組成物。
【請求項２１】  筆記しようとする表面に消去可能な色鉛筆芯組成物を使用する方法であって、
(a)約90℃以下の融点もしくは軟化点を有する低融点ワックスもしくはワックス様材料を実質的に含まない消去可能な色鉛筆芯組成物を準備すること、
(b)表面を準備すること、及び
(c)表面にこの色鉛筆芯組成物を用いて筆跡を形成し、この色鉛筆芯組成物の密着層を形成すること
を含む方法。
【請求項２２】  前記芯組成物が着色剤、１種以上のバインダ樹脂、フィブリル化可能なもしくはフィブリル化された材料、及び充填材を含む、請求項２１記載の方法。
【請求項２３】  前記芯組成物が滑剤をさらに含む、請求項２２記載の方法。
【請求項２４】  前記滑剤が少なくとも１種のバインダ樹脂とは別のドメインを形成する、請求項２３記載の方法。
【請求項２５】  前記少なくとも１種のバインダ樹脂がポリオレフィンである、請求項２２〜２４のいずれか１項に記載の方法。
【請求項２６】  前記滑剤が極性材料である、請求項２３記載の方法。
【請求項２７】  前記極性材料がアルコキシル化材料である、請求項２６記載の方法。
【請求項２８】  筆記しようとする表面に消去可能な色鉛筆芯組成物を使用する方法であって、
(a)アルコキシル化材料を含む滑剤を含む消去可能な色鉛筆芯組成物を準備すること、
(b)表面を準備すること、及び
(c)表面にこの色鉛筆芯組成物を用いて筆跡を形成し、この色鉛筆芯組成物の密着層を形成すること
を含む方法。
【請求項２９】  前記アルコキシル化材料が、ポリアルキレングリコール、アルコキシル化エーテル、アルコキシル化ラノリン、アルコキシル化ラノリンアルコール、一価及び多価アルコールのアルコキシレート、アルコキシル化脂肪酸、アルコキシル化植物油、アルコキシル化水素化植物油、及びこれらの組み合わせからなる群より選ばれる、請求項２７又は２８記載の方法。
【請求項３０】  前記アルコキシル化材料がエトキシル化材料である、請求項２９記載の方法。
【請求項３１】  前記エトキシル化材料が、ポリエチレングリコール、エトキシル化エーテル、エトキシル化ラノリン、エトキシル化ラノリンアルコール、一価及び多価アルコールのエトキシレート、エトキシル化脂肪酸、エトキシル化植物油、エトキシル化水素化植物油、及びこれらの組み合わせからなる群より選ばれる、請求項３０記載の方法。
【請求項３２】  前記エトキシル化材料がポリエチレングリコールである、請求項３１記載の方法。
【請求項３３】  筆記しようとする表面に消去可能な色鉛筆芯組成物を使用する方法であって、
(a)着色剤、１種以上のバインダ樹脂、フィブリル化可能なもしくはフィブリル化された材料、充填材、及び抗酸化剤を含む消去可能な色鉛筆芯組成物を準備すること、
(b)表面を準備すること、及び
(c)表面にこの色鉛筆芯組成物を用いて筆跡を形成し、この色鉛筆芯組成物の密着層を形成すること
を含む方法。
【請求項３４】  通常の鉛筆用消しゴムを用いて前記筆跡を消去することをさらに含む、請求項２２、２８又は３３のいずれか１項に記載の方法。
【請求項３５】  少なくとも１種の前記バンイダ樹脂がポリオレフィンである、請求項２３、２８又は３３のいずれか１項に記載の方法。
【請求項３６】  前記フィブリル化可能なもしくはフィブリル化された材料がフィブリル化可能なもしくはフィブリル化されたポリマーである、請求項２７、２８又は３３のいずれか１項に記載の方法。
【請求項３７】  前記ポリマーがフィブリル化可能なもしくはフィブリル化されたコポリマーである、請求項３６記載の方法。
【請求項３８】  前記フィブリル化可能なもしくはフィブリル化されたコポリマーがフィブリル化可能なもしくはフィブリル化されたエチレン−酢酸ビニルコポリマーである、請求項３７記載の方法。
【請求項３９】  前記表面が多孔質表面である、請求項２２、２８又は３３のいずれか１項に記載の方法。
【請求項４０】  前記多孔質表面が紙である、請求項３９記載の方法。
【請求項４１】  消去可能な色鉛筆芯組成物により表面につけた筆跡を消去する方法であって、前記筆跡に通常の鉛筆消しゴムを使用することを含み、前記筆跡が着色剤、１種以上のバインダ樹脂、フィブリル化可能なもしくはフィブリル化された材料、及び充填材を含む色鉛筆芯組成物の密着層を形成しており、前記色鉛筆芯組成物が約90℃以下の融点もしくは軟化点を有する低融点ワックスもしくはワックス様材料を実質的に含まない方法。
【請求項４２】  フィブリル化できない粒状滑剤をさらに含む、請求項１記載の消去可能な色鉛筆芯組成物。
【請求項４３】  前記フィブリル化可能なもしくはフィブリル化された材料がフィブリル化可能なもしくはフィブリル化されたポリマーである、請求項４２記載の消去可能な色鉛筆芯組成物。
【請求項４４】  前記フィブリル化できない粒状滑剤がフィブリル化できない粒状ポリマーである、請求項４３記載の消去可能な色鉛筆芯組成物。
【請求項４５】  前記フィブリル化できない粒状ポリマーがポリテトラフルオロエチレンである、請求項４４記載の消去可能な色鉛筆芯組成物。
【請求項４６】  前記着色剤が顔料である、請求項４２記載の消去可能な色鉛筆芯組成物。
【請求項４７】  前記フィブリル化可能なもしくはフィブリル化されたポリマーがポリテトラフルオロエチレンである、請求項４６記載の消去可能な色鉛筆芯組成物。
【請求項４８】  少なくとも１種の前記バインダ樹脂が、熱可塑性ポリマー、熱硬化性ポリマー、及びラテックスポリマーからなる群より選ばれる、請求項４２記載の消去可能な色鉛筆芯組成物。
【請求項４９】  前記バインダ樹脂が熱可塑性ポリマーである、請求項４８記載の消去可能な色鉛筆芯組成物。
【請求項５０】  前記熱可塑性ポリマーがポリオレフィンである、請求項４９記載の消去可能な色鉛筆芯組成物。
【請求項５１】  バインダ樹脂としてオレフィンホモポリマー及びオレフィンコポリマーを含む、請求項５０記載の消去可能な色鉛筆芯組成物。
【請求項５２】  前記オレフィンホモポリマーが、ポリプロピレン及び高密度ポリエチレンからなる群より選ばれ、前記オレフィンコポリマーがエチレン−アクリル酸コポリマーである、請求項５１記載の消去可能な色鉛筆芯組成物。
【請求項５３】  前記フィブリル化できないポリマーと前記フィブリル化可能なもしくはフィブリル化されたポリマーが、組成物中に約１：0.01〜約１：１の量で存在する、請求項４２記載の消去可能な色鉛筆芯組成物。
【請求項５４】  前記充填材が、マイカ、タルク、シリカ、クレー、及び炭酸カルシウムからなる群より選ばれる、請求項４２記載の消去可能な色鉛筆芯組成物。
【請求項５５】  前記着色剤が組成物の約10体積％〜約30体積％の量存在し、前記バインダ樹脂が組成物の約30体積％〜約50体積％の量存在し、前記フィブリル化可能なもしくはフィブリル化されたポリマーが約２体積％〜約10体積％の量存在し、前記フィブリル化できない粒状ポリマーが組成物の約10体積％〜約30体積％の量存在し、そして前記充填材が組成物の約10体積％〜約30体積％の量存在する、請求項４４記載の消去可能な色鉛筆芯組成物。
【請求項５６】  着色剤、１種以上のバインダ樹脂、フィブリル化可能なもしくはフィブリル化された材料、フィブリル化できない粒状滑剤、及び充填材を含む消去可能な色鉛筆芯組成物の製造方法であって、前記着色剤、バインダ樹脂、フィブリル化可能なもしくはフィブリル化された材料、フィブリル化できない粒状滑剤、及び充填材を混合してブレンドを形成し、このブレンドから前記鉛筆芯を形成することを含み、前記色鉛筆芯組成物が約90℃以下の融点もしくは軟化点を有する低融点ワックスもしくはワックス様材料を実質的に含まない方法。
【請求項５７】  前記混合を乾燥混合法、半乾燥混合法、又は湿潤混合法として行う、請求項５６記載の方法。
【請求項５８】  前記鉛筆芯を溶融法、湿潤法、又は反応法により加工することにより形成する、請求項５６記載の方法。
【請求項５９】  前記フィブリル化可能な又はフィブリル化された材料がフィブリル化可能な又はフィブリル化されたポリマーである、請求項５６記載の方法。
【請求項６０】  前記フィブリル化できない滑剤がフィブリル化できない粒状ポリマーである、請求項５６記載の方法。
【請求項６１】  前記フィブリル化できない粒状ポリマーがポリテトラフルオロエチレンである、請求項６０記載の方法。
【請求項６２】  着色剤、１種以上のバインダ樹脂、フィブリル化可能なもしくはフィブリル化された材料、フィブリル化できない粒状滑剤、充填材、及び抗酸化剤を含む消去可能な色鉛筆芯組成物の製造方法であって、前記着色剤、バインダ樹脂、フィブリル化可能なもしくはフィブリル化された材料、フィブリル化できない粒状滑剤、充填材、及び抗酸化剤を混合してブレンドを形成し、このブレンドから前記鉛筆芯を形成することを含む方法。
【請求項６３】  前記芯組成物を用いてホワイトボンド紙上に第一の筆跡をつけ、この第一の筆跡を消去して第二の筆跡をつけ、この第二の筆跡が約15％以下の消去されない等級を有し、前記第一の筆跡が300〜600gの一定の力を加えることにより前記紙に形成され、前記第一の筆跡が600gの一定の力を加えることにより通常の鉛筆消しゴムを用いて消去される、請求項４２記載の色鉛筆芯組成物。
【請求項６４】  前記第一の筆跡が消去することによってこすりつけられて第三の筆跡を形成し、この第三の筆跡が約20％以下の消去汚れ等級を有し、この消し跡が紙上の第一の筆跡を超えて前記第一の筆跡上の消去された距離まで広がり、前記第三の筆跡を形成する、請求項６３記載の色鉛筆芯組成物。
【請求項６５】  前記第一の筆跡が約20％以下の混合スタンプ汚染等級を有し、前記スタンプが1200gの一定の力を加えて第一の筆跡をこするために用いられ、前記スタンプが紙上の前記第一の筆跡を超えてこの筆跡のこすられた距離まで広る、請求項６３または６４記載の色鉛筆芯組成物。
【請求項６６】  表面に塗布した場合に密着層を形成する筆跡を形成することのできる、請求項１〜２０、４２〜５５、及び６３〜６５のいずれか１項に記載の消去可能な色鉛筆芯組成物。
【請求項６７】  約15％以下の消去されない等級を有する第二の筆跡をホワイトボンド紙上につけることのできる消去可能な色鉛筆芯組成物であって、前記第二の筆跡が、300〜600gの一定の力を加えることにより前記紙に形成された第一の筆跡を、600gの一定の力を加えることにより通常の鉛筆消しゴムを用いて消去することにより形成される、色鉛筆芯組成物。
【請求項６８】  前記第二の筆跡が消去することによってこすりつけられて第三の筆跡を形成し、この第三の筆跡が約30％以下の消去汚れ等級を有し、この消し跡が紙上の第一の筆跡を超えて前記第一の筆跡上の消去された距離まで広がり、前記第三の筆跡を形成する、請求項６７記載の色鉛筆芯組成物。
【請求項６９】  前記第一の筆跡が約20％以下の混合スタンプ汚染等級を有し、前記スタンプが1200gの一定の力を加えて第一の筆跡をこするために用いられ、前記スタンプが紙上の前記第一の筆跡を超えてこの筆跡のこすられた距離まで広る、請求項６７記載の色鉛筆芯組成物。
【請求項７０】  前記第一の筆跡が消去することによってこすりつけられて第三の筆跡を形成し、この第三の筆跡が約30％以下の消去汚れ等級を有し、この消し跡が紙上の第一の筆跡を超えて前記第一の筆跡上の消去された距離まで広がり、前記第三の筆跡を形成する、請求項６３記載の色鉛筆芯組成物。
【請求項７１】  着色剤、１種以上のバインダ樹脂、フィブリル化可能なもしくはフィブリル化された材料、フィブリル化できない粒状滑剤、及び充填材を含む消去可能な色鉛筆芯組成物の製造方法であって、前記色鉛筆芯組成物が約90℃以下の融点もしくは軟化点を有する低融点ワックスもしくはワックス様材料を実質的に含まず、前記着色剤、バインダ樹脂、フィブリル化可能なもしくはフィブリル化された材料、フィブリル化できない粒状滑剤、及び充填材を混合してブレンドを形成し、このブレンドから前記鉛筆芯を形成することを含む方法。
【請求項７２】  着色剤、１種以上のバインダ樹脂、フィブリル化可能なもしくはフィブリル化された材料、及び充填材を含む消去可能な色鉛筆芯組成物の製造方法であって、前記色鉛筆芯組成物が約90℃以下の融点もしくは軟化点を有する低融点ワックスもしくはワックス様材料を実質的に含まず、前記着色剤、バインダ樹脂、フィブリル化可能なもしくはフィブリル化された材料、及び充填材を混合してブレンドを形成し、このブレンドから前記鉛筆芯を形成することを含む方法。
【請求項７３】  着色剤、１種以上のバインダ樹脂、フィブリル化可能なもしくはフィブリル化された材料、充填材、及び抗酸化剤を含む消去可能な色鉛筆芯組成物の製造方法であって、前記着色剤、バインダ樹脂、フィブリル化可能なもしくはフィブリル化された材料、充填材、及び抗酸化剤を混合してブレンドを形成し、このブレンドから前記鉛筆芯を形成することを含む方法。
【請求項７４】  筆記しようとする表面に消去可能な色鉛筆芯組成物を使用する方法であって、
(a)消去可能な色鉛筆芯組成物を準備すること、
(b)表面を準備すること、及び
(c)表面にこの色鉛筆芯組成物を用いて筆跡を形成し、この色鉛筆芯組成物の密着層を形成すること
を含む方法。